(57)【要約】      （修正有）【課題】クリーニングを行った際、ゴムチップの前側面がクリーニングピンによって押圧しても、ゴムチップが先端パイプの反対側、即ち後方に移動しないようなシャープペンシルの構成を提供する。【解決手段】芯１に対する繰り出し機構を有し、芯１が突出及び突入する先端パイプ９を支える口金８の内側において、芯１の周囲を弾性的に把持しているゴムチップ１０が当該弾性力を以って口金８の内壁を押圧することによって自ら支持されているシャープペンシルにおいて、当該ゴムチップ１０の後側にゴムチップ１０の外径よりも小さな内側幅を有し、かつゴムチップ１０の後退を防止する後止めリング４を口金８の内側に固着して該シャープペンシルを構成する。【選択図】図１
0003149646.tif 000002
【実用新案登録請求の範囲】
【請求項１】
芯に対する繰り出し機構を有し、芯が突出及び突入する先端パイプを支える口金の内側において、芯の周囲を弾性的に把持しているゴムチップが当該弾性力を以って口金の内壁を押圧することによって自ら支持されているシャープペンシルにおいて、当該ゴムチップの後側にゴムチップの外径よりも小さな内側幅を有し、かつゴムチップの後退を防止する後止めリングを口金の内側に固着していることに基づくシャープペンシル。
【請求項２】
後止めリングの前側面が、ゴムチップの後端側と当接していることを特徴とする請求項１記載のシャープペンシル。
【請求項３】
後止めリングを口金の内壁に螺着させていることを特徴とする請求１記載のシャープペンシル。
【請求項４】
後止めリングを口金の内壁に接着剤によって接着させていることを特徴とする請求項１記載のシャープペンシル。
【請求項５】
後止めリングの内側が正多角形状であることを特徴とする請求項３，４の何れか１項に記載のシャープペンシル。
【考案の詳細な説明】
【技術分野】
【０００１】
本考案は、芯に対する繰り出し機構を有しているシャープペンシルに関するものである。
【背景技術】
【０００２】
シャープペンシルは、例えば図３に示すように、芯１を押圧把持し、かつ芯１と一体となって移動し、周囲の締めリング３による締め付けから解放された段階にて、芯に対する前記押圧把持を解放する芯咬止チャックを設け、ノック７を前方に押圧することによって、芯タンク２２、及び芯１の周囲に設けられている継ぎ手２１を介して、芯咬止チャック２を締めリング３によって前記の締め付けられた状態にて押圧を把持している芯１と共に、前進させると共に、締めリング３の先端が前側の部材と衝突した段階にて、締めリング３の芯咬止チャック２に対する締め付け、及び芯咬止チャック２の芯１に対する押圧把持を解放した後に、芯タンク２２又は継ぎ手２１と係合している芯咬止用バネ１２の弾発力によって芯タンク２２及び継ぎ手２１を介してノック７、芯咬止チャック２及び締めリング３を後退させ、締めリング３の後退が停止した段階にて、芯咬止チャック２に対する締め付け、更には芯咬止チャック２の芯１に対する押圧把持を再現することによって、芯１を前方に突出させるという繰り出し機構を有している。
【０００３】
図３に示すように、芯１の突出及び突入が行われる先端パイプ９の後端側に位置している口金８の内側には、芯１の種類を弾性的に把持しているゴムチップ１０が設けられている。
【０００４】
前記ゴムチップ１０は、前記把持によって芯の先端パイプ９における突出及び突入した状態を安定した状態にて保持する一方、自らの弾性力によって口金８の内壁を押圧し、かつ当該押圧によって前記内壁によって支持されている。
【０００５】
シャープペンシルにおいては、口金８内部に芯１が衝突して詰まったり、又はごみの挿入によってゴムチップ１０の中心孔、即ち芯１を周囲から把持している細長円柱形の空隙に目詰まりが生じた場合には、クリーニングピンを先端パイプ９の突出口から挿入して、折れた芯１、ごみを下に落とすというクリーニング作用を必要とする。
【０００６】
しかしながら、その際、クリーニングピンがゴムチップ１０の芯１を把持している孔ではなく、ゴムチップ１０の前側面を押すことによって、ゴムチップ１０が口金８内壁に保持されている状態から後退し、ゴムチップ１０が口金８から落下し、更には紛失するというアクシデントが少なからず生じており、アクシデントを完全に防止することは不可能である。
【０００７】
然るに従来技術においては、このようなアクシデントを避ける構成は全く存在しない。
【０００８】
因みに、特許文献１及び同２は、何れも先端パイプの後端側であって口金中の先端付近にゴムチップが把持された状態を示すも、前記のようなクリーニングに際し、ゴムチップの落下更には紛失を避ける為に必要な構成を何ら開示又は示唆している訳ではない。
【０００９】
【特許文献１】特開平１０−１６６７８４号公報
【特許文献２】特開２００３−２２３８２０号公報
【考案の開示】
【考案が解決しようとする課題】
【００１０】
本考案は、芯を把持しているゴムチップの中心孔における目詰まりに対するクリーニングを行った際、ゴムチップの前側面がクリーニングピンによって押圧しても、ゴムチップが先端パイプの反対側、即ち後方に移動しないようなシャープペンシルの構成を提供することを課題としている。
【課題を解決するための手段】
【００１１】
前課題を解決する為に、本考案の基本構成は、芯に対する繰り出し機構を有し、芯が突出及び突入する先端パイプを支える口金の内側において、芯の周囲を弾性的に把持しているゴムチップが当該弾性力を以って口金の内壁を押圧することによって自ら支持されているシャープペンシルにおいて、当該ゴムチップの後側にゴムチップの外径よりも小さな内側幅を有し、かつゴムチップの後退を防止する後止めリングを口金の内側に固着していることからなる。
【考案の効果】
【００１２】
前記基本構成による本考案においては、ゴムチップ１０の外径よりも小さな内側幅を有している後止めリング４がゴムチップ１０の後方に位置するため、クリーニングピンを先端パイプ９から挿入し、ゴムチップ１０の前側面に当接し、かつ押圧しても、ゴムチップ１０は後止めリング４によって後方側への移動することができないことから、ゴムチップ１０の口金８からの落下、更には紛失というアクシデントを免れることが可能となる。
【考案を実施するための最良の形態】
【００１３】
図１（ａ）（ｂ）は、本考案の基本構成を示しており、後止めリング４は、ゴムチップ１０の後端側と当接した状態にて口金８内部に装着されている。
【００１４】
後止めリング４の前側面がゴムチップ１０の後端側と当接することは本来不可欠という訳ではないが、クリーニングに際しゴムチップ１０を安定した状態に維持する為には、前記にように当接された状態が望ましい。
【００１５】
後止めリング４を口壁８に固着する方式としては、後止めリング４を雄ネジとし、口金８の内壁を雌ネジとして留めリングを口金の内壁に螺着させる方式、
後止めリング４を口金８の内壁に接着剤によって接着させる方式、
等がその典型例として存在する。
【００１６】
後止めリング４の素材としては、プラスチック、金属の何れをも採用することができる。
但し、接着剤による接着を採用する場合には、プラスチックの方が経済コスト及び接着のし易さという点において適合性を有している。
【００１７】
何れにせよ、後止めリング４の内側幅が、ゴムチップ１０の外径よりも小さく設計されていることによって、クリーニングに際しクリーニングピンがゴムチップ１０の前側面に当接しかつ後退しようとした場合、後止めリング４は当該後退を防止することが可能となる。
【００１８】
以下、実施例に即して説明する。
【実施例】
【００１９】
実施例においては、図２（ａ）に示すように、後止めリング４の内側が正多角形状であることを特徴としている。
【００２０】
後止めリング４の内側の形状としては、通常図２（ｂ）に示すように、外側の形状と同様に、円形、即ち外側と同心円形状とする設計が通常採用されているが、実施例においては図２（ａ）に示すように、内側形状として多角形の状態を採用している。
【００２１】
このような形状によって、図２（ｃ）に示すように、先端を多角形状とするポール５に後止めリング４を嵌合させた場合には、後止めリング４の回転を伴わずに、安定した嵌合状態を実現することができ、前記実施形態のように後止めリング４を口金８の内壁に螺着させる場合、又は接着剤によって接着させる場合の何れにおいても、ポール５先端に後止めリング４を嵌合させた状態にて、前記螺着作用又は接着作用を容易に行うことができ、特に螺着の場合には、ポール５及び後止めリング４をボルト及びナットの場合と同様の嵌合状態によって回転させることが可能となる。
【００２２】
尚、前記正多角形状においては、殆ど大抵の場合、正四角形又は正六角形が好的に採用されている。
【産業上の利用可能性】
【００２３】
本考案は、先端パイプにおいて芯１の突出及び突入が行われている繰り出し機構を有しているシャープペンシルの全てに適用し、かつ利用することが可能である。
【図面の簡単な説明】
【００２４】
【図１】本考案の実施形態を示す側断面図であって、（ａ）はシャープペンシルの全体構成を示しており、（ｂ）はゴムチップと後止めリングとの当接状態を部分的に拡大して示している。
【図２】実施例を説明している図面であって、（ａ）は実施例に係る後止めリングの正面図を示しており、（ｂ）は実施例に該当しない通常の後止めリングの正面図を示しており、（ｃ）はポールの先端に後止めリングを嵌合させた状態を示している。
【図３】従来技術の繰り出し方式によるシャープペンシルの基本構成を示す側断面図である。
【符号の説明】
【００２５】
１  芯
２  芯咬止チャック
２１  継ぎ手
２２  芯タンク
２３  突起
３  締めリング
４  後止めリング
５  ポール
７  ノック
８  口金
９  ガイドパイプ
１０  ゴムチップ
１２  芯咬止用バネ
【図１】
0003149646.tif 000003
【図２】
0003149646.tif 000004
【図３】
0003149646.tif 000005
【手続補正書】
【提出日】平成21年2月3日(2009.2.3)
【手続補正１】
【補正対象書類名】実用新案登録請求の範囲
【補正対象項目名】請求項３
【補正方法】変更
【補正の内容】
【請求項３】
後止めリングを口金の内壁に螺着させていることを特徴とする請求項１記載のシャープペンシル。